Podtech/llm-jp-corpus-v4-ja_patent huggingface dataset:
(57)【要約】      （修正有）【課題】ハンドバッグや鞄、財布、ポーチの内部や携帯電話、アイホンの裏面に直接貼付することが可能であり、自動改札機をスムーズに通過する磁気カードフォルダーを提供する。【解決手段】方形のシート状の本体部１の表面の一端に細幅の磁気カード挿入案内部８を残して磁気カード挿入用のポケット６を設け、この本体部１の裏面の全面又は一部に剥離紙を被せた粘着層を設けたことを特徴とする磁気カードフォルダー２０であって、この剥離紙を剥して鞄やハンドバッグの内部の底面や側面に貼付することが出来るようになされていることを特徴とする。【選択図】図１
0003164013.tif 000002
【実用新案登録請求の範囲】
【請求項１】
方形のシート状の本体部（１）の表面の一端に細幅の磁気カード挿入案内部（８）を残して磁気カード挿入用のポケット（６）を設け、この本体部（１）の裏面の全面又は一部に剥離紙（５）を被せた粘着層（４）を設けたことを特徴とする磁気カードフォルダー（２０）であって、上記剥離紙（５）を剥して鞄やハンドバッグの内部の底面や側面に貼付することが出来るようになされていることを特徴とする磁気カードフォルダー（２０）。
【請求項２】
上記挿入案内部（８）の上端に磁気カードの抜け止めの為の凸部（７）が設けられていることを特徴する請求項１記載の磁気カードフォルダー（２０）。
【考案の詳細な説明】
【技術分野】
【０００１】本考案は、輸送機関である鉄道、路面バスに乗降車するための磁気カードフォルダーに関するものである。
【背景技術】
【０００２】磁気カードは通勤や通学及び移動するたびに使用するもので、これを汚損や紛失から護るために、殆どの鉄道、路面バス利用者はこれをフォルダーに入れている。利用者はそのつど定期入れを出し自動改札機の感知パネルにかざして利用する。この煩雑とした行為を簡便にするために、所持するハンドバッグや鞄の底や側面の内部に貼付し、自動改札機でもたつくことなく通過することができる磁気カードフォルダーを考案した。
【先行技術文献】
【特許文献】
【０００３】実開平６−１９５４６号公報の定期ホルダーでは、定期券の出し入れがワンタッチ的に簡単に行えるとあるが、カードを取り出し改札口の挿入口にカードを入れなければならない、それに、本提案の定期ホルダーでは鞄の底などに固着することはできず、磁気カードではないので、改札口で必ずカードを取り出し挿入口にカードを挿入しなければならない。
【特許文献１】実開平６−１９５４６号広報
【考案の概要】
【考案が解決しようとする課題】
【０００４】ハンドバッグの底に磁気カードを入れる箇所が着いた物もあるが、一般に普及していないのが現状で、現在使用中のハンドバッグや鞄を買い換えることなく本考案の磁気カードフォルダーを装着するだけで活用でき、朝夕のラッシュ時に用いれば、ハンドバッグや鞄に固着する位置が決まるためハンドバッグや鞄をタッチパネルにかざすだけで自動改札機を用意に通過でき、他に荷物を持っている場合でも手間取をとらず、軽装で移動する場合であっても、財布、ポーチの内部や携帯電話、アイホンの裏面に貼付することが可能であり、用途は多彩な磁気カードフォルダーである。
【課題を解決するための手段】
【０００５】請求項１記載の磁気カードフォルダー（２０）は、方形のシート状の本体部（１）の表面の一端に細幅の磁気カード挿入案内部（８）を残して磁気カード挿入用のポケット（６）を設け、この本体部（１）の裏面の全面又は一部に剥離紙（５）を被せた粘着層（４）を設けたことを特徴とする磁気カードフォルダー（２０）であって、この剥離紙（５）を剥して鞄やハンドバッグの内部の底面や側面に貼付することが出来るようになされていることを特徴とする。【０００６】請求項２記載の磁気カードフォルダー（２０）は挿入案内部の上端に磁気カードの抜け止めの為の凸部（７）が設けられていることを特徴する。
【考案の効果】
【０００７】請求項１記載の磁気カードフォルダー（２０）は、上記の構成であるので、磁気カードフォルダー（２０）裏面の剥離紙（５）を剥して、鞄やハンドバッグ内部の底面や側面の、適当な位置に粘着層（４）により貼り付け、この磁気カードフォルダー（２０）のポケット（６）に磁気カード（２）をいれれば、いちいち磁気カード（２）を取り出さなくても鞄やハンドバッグを自動改札機の感知パネルにかざせば瞬時に自動改札機をスムーズに通過することが出来る。また鞄やハンドバッグから内容物を取り出しても磁気カード（２）が紛失することがない。【０００８】請求項２記載の磁気カードフォルダー（２０）は、上記構成であるので、剥離紙（５）を剥して従来より持っている鞄やハンドバッグに上述のようにワンタッチで貼り付けられる。【０００９】請求項３記載の磁気カードフォルダー（２０）の挿入案内部の上端に磁気カードの抜け止めの為の凸部（７）が設けられているので上記効果をことを奏するとともに凸部があるからカードが落ちないので紛失しない。
【図面の簡単な説明】
【００１０】
【図１】本考案の磁気カードフォルダー（２０）を示す説明図。
【図２】図１の裏側を示す説明図。
【図３】本考案の磁気カードフォルダー（２０）に実際に磁気カードを入れる時の様子を示す説明図。
【図４】本考案の磁気カードフォルダー（２０）を鞄の内部側面に貼り付けた様子を示す説明図。
【図５】本考案の磁気カードフォルダー（２０）をハンドバッグ内部底面に貼り付けた様子を示す説明図。
【考案を実施するための形態】
【実施例】
【００１１】以下図面を用いて本考案の実施例を説明する。図１は本考案の磁気カードフォルダー（２０）の表側を示す。本体部（１）は美しい染めを施した布地で縦９．５センチ横６センチの寸法のものを用いた。【００１２】磁気カード挿入案内部（８）として幅１０ミリ残して、磁気カード挿入用ポケット（６）を同じ布地を用いて設け、磁気カード挿入案内部（８）の上端に高さ２ミリ、幅４ミリの凸部（７）を全辺に亘り設けた。【００１３】図２は、磁気カードフォルダー（２０）の裏面を示す。裏面の中央部に縦６センチ横４センチの粘着層（４）を設け、この上に同じ寸法の剥離紙（５）を被せた。【００１４】図３は磁気カードフォルダー（２０）に磁気カード（２）を挿入している様子を示す。このようにして磁気カード挿入口（３）より磁気カード挿入用ポケット（６）に磁気カード（２）を入れる。【００１５】図４図５は、この磁気カードフォルダー（２０）に磁気カード（２）を入れて実際に鞄やハンドバッグに固着した状態を示す。上記剥離紙（５）を剥して鞄やハンドバッグの内部の底面や側面に貼付けたものである。【００１６】図４図５ように決まった位置に固着すれば自動改札機の感知パネルに、毎回同じ場所をかざせばスムーズに通過できる。
【符号の説明】  １  本体部
２  磁気カード
３  磁気カード挿入口
４  粘着層
５  剥離紙
６  磁気カード挿入ポケット
７  凸都
８  磁気カード挿入案内部
９  鞄
１０  ハンドバッグ
２０  磁気カードフォルダー
【図１】
0003164013.tif 000003
【図２】
0003164013.tif 000004
【図３】
0003164013.tif 000005
【図４】
0003164013.tif 000006
【図５】
0003164013.tif 000007
(57)【要約】      （修正有）【課題】ゴム長ぐつの内側から外側の亀裂対策を施した長ぐつを提供する。【解決手段】ビニール、プラスチック、ナイロン、アクリル樹脂、薄皮、ゴム、布で、長ぐつの外側表面を補強する。【選択図】図１
0003164043.tif 000002
【実用新案登録請求の範囲】
【請求項１】
ゴム長ぐつのねじれ運用時に生ずるき裂を防止するためビニール、プラスチック、ナイロン、アクリル樹脂、薄皮、ゴム、布で長ぐつの外側表面に外張りの材料補強貼付した長ぐつ。
【考案の詳細な説明】
【技術分野】
【０００１】
本考案は、従来のゴム長ぐつとしての人体の動きに対応した長ぐつ形状材料研究に関する。
【背景技術】
【０００２】
家具の運用材料の研究成果ベニヤ板の発明があります。
【考案の開示】
【考案が解決しようとする課題】
【０００３】
しかしながら、ベニヤ板の発明相当のゴム長ぐつの形状・材料研究の成果は、ゴム長ぐつの内張り、ライニングまでであり、外側の補強がないという欠点がある。
【０００４】
本考案は、上記実情に鑑みてなされたものであり、ゴム長ぐつの運用ストレスで人体の足のこう内側相当のゴム長ぐつ外側表皮のき裂対策としている。
【課題を解決するための手段】
【０００５】
上記目的を達成するため考案は、ゴム長ぐつの内側ライニングから外側のき裂対策への応用として、次の構成を含むことを特徴としている。
ゴム長ぐつの外張りをビニール、プラスチック、ナイロン、アクリル樹脂、薄皮、ゴム、布を補強シートとしてき裂の起きる箇処に形状を合わせて貼付した構成である。満月の夜、大潮の海でアカテガニが身体をふるわせて放卵する情報化基準の制御、フィード・センター制御と称する生物のエコロジーに基く制御分離技術を逆にゴム長ぐつのゴム部分と補強シートが分離しないよう制御するための技術の構成である。
【考案の効果】
【０００６】
本考案により、ゴム長ぐつの人体の運動に対応した形状変化でゴムのきれつを生じて運用できなくなる事からの防止の効果を外張りまで応用できる対策にできる。
【図面の簡単な説明】
【０００７】
【図１】本考案の長ぐつである。長ぐつは、図１に示すように、ビニール、プラスチック、ナイロン、アクリル樹脂、薄皮、ゴム、布で外側の補強シート１、とするゴム長ぐつ２、であります。
【考案を実施するための形態】
【０００８】
本考案の実施の形態の一例について、図面を参照しながら説明する。
長ぐつは、図１に示すように、ビニール、プラスチック、ナイロン、アクリル樹脂、薄皮、ゴム、布で外側の補強シート貼付１、とするゴム長ぐつ２、であります。
【符号の説明】
【０００９】
１    補強シート（ビニール、プラスチック、ナイロン、アクリル樹脂、薄皮、
ゴム、布）
２    長ぐつ
【図１】
0003164043.tif 000003
(57)【要約】      （修正有）【課題】節電照明器具の効果と使用寿命を向上させる放熱構造を備えた節電照明器具を提供する。【解決手段】ランプ台座１１と、ランプカバー１２と、ランプ１３とによって構成する。ランプは熱陰極蛍光ランプ或いは冷陰極蛍光ランプであり、ランプ台座の頂部にはランプが連結され、ランプが完全に密封されるようにランプカバーはランプ台座上に接続され、ランプカバーのケース上に、不特定形状のいくつかのくり抜き穴１２１が形成される。【選択図】図３
0003164049.tif 000002
【実用新案登録請求の範囲】
【請求項１】
ランプ台座と、ランプカバーと、ランプとによって構成し、ランプは熱陰極蛍光ランプ或いは冷陰極蛍光ランプであり、ランプ台座の頂部にはランプが連結され、ランプが完全に密封されるようにランプカバーはランプ台座上に接続されている、放熱構造を備えた節電照明器具において、
ランプカバーのケース上に、不特定形状のいくつかのくり抜き穴が形成されることを特徴とする、放熱構造を備えた節電照明器具。
【請求項２】
ランプ台座と、ランプカバーと、ランプとによって構成し、ランプは長管状の熱陰極蛍光ランプであり、ランプ台座の頂部にはランプが連結され、ランプが密封されるようにランプの外はランプカバーで覆われている、放熱構造を備えた節電照明器具において、
ランプカバーのケース上に、不特定形状のいくつかのくり抜き穴が形成されることを特徴とする、放熱構造を備えた節電照明器具。
【考案の詳細な説明】
【技術分野】
【０００１】
本考案は照明用の電球構造の改良に関しに関し、特に冷陰極蛍光ランプと熱陰極蛍光ランプが使用された節電照明器具の改良に関する。
【背景技術】
【０００２】
一般的な節電照明器具の大部分は、冷陰極蛍光ランプと熱陰極蛍光ランプの二種類が使用されている。そして、この種のランプは脆いため、通常はランプの外を比較的硬いランプカバーで覆い、外に露出したランプが衝撃で割れないようにする。また、冷陰極蛍光ランプ、熱陰極蛍光ランプを問わず、点灯すると熱エネルギーが生じるが、ランプカバーがランプを覆って密封しているため、ランプから生じる熱エネルギーが排出されずにランプカバー内にどんどん蓄積し、時間がたつと極めて高い温度になる。この高温は、ランプの消耗を大幅に早め、ランプの照明効果を下げるだけでなく、ランプの使用寿命も大幅に下げる。しかも、累積した高温は、ランプ内の電子設備を焼いてしまい、ランプを損傷させ、節電照明器具の実用性は大幅に低下する。このように、従来の節電照明器具は理想的ではなく、改善が待たれている。
【考案の概要】
【考案が解決しようとする課題】
【０００３】
そこで、本考案は、節電照明器具の効果と使用寿命を向上させる放熱構造を備えた節電照明器具を提供することを目的とする。
【課題を解決するための手段】
【０００４】
本考案による放熱構造を備えた節電照明器具は、ランプ台座と、ランプカバーと、ランプとによって構成する。ランプは熱陰極蛍光ランプ或いは冷陰極蛍光ランプであり、ランプ台座の頂部にはランプが連結され、ランプが完全に密封されるようにランプカバーはランプ台座上に接続され、ランプカバーのケース上に、不特定形状のいくつかのくり抜き穴が形成される。
【考案の効果】
【０００５】
本考案は、ランプに生じる熱エネルギーをランプカバー外に排出し、電球の過熱によりランプが消耗したり電子設備が焼けてしまったりするのを防ぎ、節電照明器具の効果と使用寿命を向上させることができる。
【図面の簡単な説明】
【０００６】
【図１】本考案の節電照明器具を示した外観図である。
【図２】本考案の節電照明器具を示した外観図である。
【図３】本考案の節電照明器具を示した断面図である。
【図４】本考案の節電照明器具を示した断面図である。
【図５】長管状の節電照明器具を示した外観図である。
【図６】本考案の節電照明器具を示した外観図である。
【考案を実施するための形態】
【０００７】
（実施例１）
図１から図４、及び図６に示すように、本考案の節電照明器具１０は、ランプ台座１１と、ランプカバー１２と、ランプ１３とによって構成する。ランプ台座１１内には、必要な電子設備（図示せず）が設けられ、ランプ台座１１の頂部には、熱陰極蛍光ランプ１３（図３に図示）、或いは冷陰極蛍光ランプ１３（図４に図示）が連結されている。また、ランプカバー１２もランプ台座１１上に接続され、ランプ１３は完全に覆われ密封されている。本考案の改良箇所は、ランプカバー１２のケース上に、不特定形状のいくつかのくり抜き穴１２１が形成され、異なる位置のくり抜き穴１２１を利用することにより、ランプ１３が点灯した時に生じる熱エネルギーは、効率的にランプカバー１２外に排出され、それと同時に、ランプカバー１２外の比較的低温の気流がランプカバー１２内に進入し、ランプカバー１２内の空間の気体が対流し、ランプカバー１２内の熱エネルギーは最も理想的な低温に保たれる。それにより、ランプ１３の消耗を最低限に抑え、ランプ１３の照明効果と使用寿命を向上させ、ランプ台座１１内の電子設備がランプの高温により壊れやすくなるという問題を解決するとともに、節電照明器具の実用性を大幅に高める。
【０００８】
（実施例２）
図５は、長管状の熱陰極蛍光ランプ２３を使用した節電照明器具２０を示した図である。照明器具２０のランプ台座２１に接続されたランプ２３外には、ランプカバー２２が覆われており、それによりランプ２３は覆われ密封されている。また、同様に、ランプカバー２２のケース上に、不特定形状のいくつかのくり抜き穴２２１が形成されており、異なる位置のくり抜き穴２２１を利用することによって、ランプ１３が点灯した時に生じる熱エネルギーが効率的にランプカバー１２外に排出され、照明器具２０の熱くなりすぎる問題を解決することができる。
【符号の説明】
【０００９】
１０            節電照明器具    
１１、２１      ランプ台座    
１２、２２      ランプカバー    
１３            ランプ
１２１、２２１  くり抜き穴
【図１】
0003164049.tif 000003
【図２】
0003164049.tif 000004
【図３】
0003164049.tif 000005
【図４】
0003164049.tif 000006
【図５】
0003164049.tif 000007
【図６】
0003164049.tif 000008
(57)【要約】      （修正有）【課題】防水構造を備えた節電照明器具を提供する。【解決手段】ランプ台座１１にランプ１２を接続するとともに、ランプ台座本体に複数の放熱孔１１１を設けてなり、ランプ台座の放熱孔上方の位置には、体積が放熱孔全てを覆うのに十分な漏斗状のキャップ２０が被せられ、ランプ台座の放熱孔下方の位置には、キャップより大きいサイズで且つ内表面に光反射構造を備えた漏斗状のカバー３０が設けられ、ランプ１２はカバー３０に覆われている。【選択図】図４
0003164047.tif 000002
【実用新案登録請求の範囲】
【請求項１】
ランプ台座にランプを接続するとともに、ランプ台座本体に複数の放熱孔を設けてなる防水構造を備えた節電照明器具において、
ランプ台座の放熱孔上方の位置には、体積が放熱孔全てを覆うのに十分な漏斗状のキャップが被せられていることを特徴とする、防水構造を備えた節電照明器具。
【請求項２】
ランプ台座の放熱孔下方の位置には、キャップより大きいサイズで且つ内表面に光反射構造を備えた漏斗状のカバーが設けられ、ランプはカバーに覆われていることを特徴とする、請求項１に記載の防水構造を備えた節電照明器具。
【請求項３】
前記ランプは、冷陰極蛍光ランプ（ＣＣＦＬ）、或いは、熱陰極蛍光ランプ（ＨＣＦＬ）、或いは、発光ダイオード（ＬＥＤ）であることを特徴とする、請求項１に記載の防水構造を備えた節電照明器具。
【考案の詳細な説明】
【技術分野】
【０００１】
本考案は照明器具の構造の改良に関し、特に防水構造を備えた節電照明器具に関する。
【背景技術】
【０００２】
図１に示すように、一般的によく見られる節電照明器具１０は、ランプ台座１１にランプ１２を接続し、ランプ台座１１内に必要な電子接辞（図示せず）を設けてなる。また、ランプが点灯している際には電子設備から熱エネルギーが生じるが、熱くなりすぎて電子設備が焼けてしまわないように、ランプ台座１１上には複数の放熱孔１１１を設け、ランプ台座１１内の熱気を排出するとともに、空気の対流を形成させてランプ台座１１外の比較的低温の空気をランプ台座１１内に進入させることにより、最も効率的な放熱効果を達成している。しかしながら、放熱孔１１１を設けることでその節電照明器具１０は単独で室外において使用することはできず、図２に示すように、もし節電照明器具１０を単独で使用した際に雨が降ってきた場合、雨水が放熱孔１１１からランプ台座１１内に流れ込み、内部の電子設備がショートするか或いは焼けてしまう。従来の節電照明器具は、このような状況を防ぐためのさらなる改良が望まれている。
【考案の概要】
【考案が解決しようとする課題】
【０００３】
そこで、本考案は、防水構造を備えた節電照明器具を提供することを目的とする。
【課題を解決するための手段】
【０００４】
本考案による防水構造を備えた節電照明器具は、ランプ台座にランプを接続するとともに、ランプ台座本体に複数の放熱孔を設けてなり、ランプ台座の放熱孔上方の位置には、体積が放熱孔全てを覆うのに十分な漏斗状のキャップが被せられ、ランプ台座の放熱孔下方の位置には、キャップより大きいサイズで且つ内表面に光反射構造を備えた漏斗状のカバーが設けられ、ランプはカバーに覆われている。
【図面の簡単な説明】
【０００５】
【図１】従来の節電照明器具を示した外観図である。
【図２】一般的な節電照明器具を単独で使用した時の状況を示した説明図である。
【図３】本考案の実施例１の節電照明器具の構造を示した説明図である。
【図４】本考案の実施例２の節電照明器具の構造を示した説明図である。
【考案を実施するための形態】
【０００６】
（実施例１）
図３に示すように、本考案の節電照明器具１０は、ランプ台座１１にランプ１２を設けてなる。ランプ台座１１の本体上には、複数の放熱孔１１１が設けられ、ランプ台座１１内には、必要な電子設備（図示せず）が設けられている。本考案で改良した特徴は、ランプ台座１１の放熱孔１１１上方の位置に、体積が放熱孔１１１全てを覆うのに十分な漏斗状のキャップ２０が被せられている点である。それにより、節電照明器具１０は、単独で室外で使用して雨が降ってきた場合、漏斗状のキャップ２０で覆われているため、雨水が放熱孔１１１からランプ台座１１内に流れこまず、内部の電子設備がショートしたり或いは焼けてしまったりするのを避けることができる。このように、本考案は、節電照明器具の実用性を高めることができる。
【０００７】
前述したランプ１２は、冷陰極蛍光ランプ（ＣＣＦＬ）、或いは、熱陰極蛍光ランプ（ＨＣＦＬ）、或いは発光ダイオード（ＬＥＤ）にすることができる。
【０００８】
（実施例２）
図４は、節電照明器具１０の実用性を更に高めた実施例を示している。実施例２では、さらに、ランプ台座１１の放熱孔１１１下方の位置に、キャップより大きいサイズで且つ内表面が光反射構造を備えた漏斗状のカバー３０が設けられ、それによりランプ１２は覆われる。以上の構造により、光を集める効果があるゆえに照明効果が向上する以外に、外からの物体がランプ１２に直接ぶつかって破損するのを防ぐことができる。
【符号の説明】
【０００９】
１０    節電照明器具    
１１    ランプ台座    
１２    ランプ    
２０    キャップ    
３０    カバー
１１１  放熱孔
【図１】
0003164047.tif 000003
【図２】
0003164047.tif 000004
【図３】
0003164047.tif 000005
【図４】
0003164047.tif 000006
(57)【要約】      （修正有）【課題】保持する用紙の規格サイズを収容サイズとしている如何なるタイプの鞄、キャビネット、棚などの収容道具にも、折り曲げることなく、正規状態で収容することができる用紙ホルダーを提供する。【解決手段】用紙ホルダー１は、保持する用紙の規格サイズと同一大の表片３と裏片４を有し、４側面の中、一方の連続する２側面は開放されて他方の連続する２側面は閉塞されてなり、これら各閉塞側面は折り筋７，８で内側に折り込むマチ部２，５からなり、一方のマチ部２における他方のマチ部５側の端部には三角形状の切り欠き９を設けてなるものである。【選択図】図２
0003164980.tif 000002
【実用新案登録請求の範囲】
【請求項１】
用紙の規格サイズと同一大で、４側面の中、一方の連続する２側面は開放されて他方の連続する２側面は閉塞されてなり、これら各閉塞側面は内側に折り込むマチ部からなり、一方のマチ部における他方のマチ部側の端部には三角形状の切り欠きを設けてなることを特徴とする用紙ホルダー。
【考案の詳細な説明】
【技術分野】
【０００１】
本考案は、一般に、クリアーホルダーと称されている用紙ホルダーに関するもので、連続する２側面が開放され、この開放部分から用紙を挿脱して、用紙を表裏面方向から挟むように保持する用紙ホルダーに関する。
【背景技術】
【０００２】
従来におけるこの種の用紙ホルダーは、用紙を保持する際に、特に多数枚の用紙を保持する際に、用紙がホルダー外にはみ出て、用紙の端縁が折れ曲がったり、破損することを防ぐために、保持する用紙の規格サイズ、例えばＡ４判サイズ、よりも大きなサイズにしている（特許文献１）。
【先行技術文献】
【特許文献】
【０００３】
【特許文献１】特開２０００−１５９７２号公報
【考案の概要】
【考案が解決しようとする課題】
【０００４】
前記従来の用紙ホルダーは、保持する用紙の規格サイズ、例えばＡ４判サイズ、よりも大きなサイズにしているため、Ａ４判サイズに対応する収容サイズの鞄、キャビネット、棚などの収容道具に収容する場合に、収容サイズに対する余裕を十分に確保していない収容道具においては、用紙ホルダーを正規状態では収容できず、用紙ホルダーが折れ曲がってしまうという不都合があった。
【０００５】
本考案は、この不都合を解消して、保持する用紙の規格サイズを収容サイズとしている収容道具であれば、収容サイズに対する余裕の大小を問わず、正規状態で収容できる用紙ホルダーを提供することを目的とする。
【課題を解決するための手段】
【０００６】
前記目的を達成するために、本考案の請求項１に係る用紙ホルダーは、用紙の規格サイズ、例えばＡ４判と同一大で、４側面の中、一方の連続する２側面は開放されて、他方の連続する２側面は閉塞されてなり、これら各閉塞側面は内側に折り込むマチ部からなり、一方のマチ部における他方のマチ部側の端部には三角形状の切り欠きを設けてなるものである。
【考案の効果】
【０００７】
本考案の請求項１に係る用紙ホルダーによれば、保持する用紙の規格サイズと同一大なので、用紙の規格サイズを収容サイズとしている如何なるタイプの収容道具にも、正規状態で収容することができるという効果を奏する。また、閉塞側面は内側に折り込むマチ部からなり、一方のマチ部における他方のマチ部側の端部には三角形状の切り欠きを設けたので、保持する用紙の規格サイズと同一大でも、しかも多数枚の場合であっても、用紙が外部にはみ出ることがなく、全体を保護した状態で確実に保持することができるという効果を奏する。
【図面の簡単な説明】
【０００８】
【図１】用紙ホルダーの平面図。
【図２】同じく側面図。
【図３】同じくマチ部が最大幅になった状態の側面図。
【図４】図２状態の部分拡大断面図。
【図５】図３状態の部分拡大断面図。
【考案を実施するための形態】
【０００９】
以下に、本考案の好適な実施形態を添付図面の図１〜図５に基づいて詳細に説明する。
【００１０】
図１〜図３に示すように、用紙ホルダー１は、合成樹脂製のシートをマチ部２を形成するように二つ折りして、表片３と裏片４を形成し、表片３のマチ部２と垂直に伸びる端縁を延長してマチ部５と接着部６となし、前記接着部６を裏片４の表出面に接着して構成している。また、各マチ部２，５は同一幅に設定している。
【００１１】
用紙ホルダー１は、Ａ４判サイズの用紙を保持するもので、表片３と裏片４は、Ａ４判と同一サイズである。そして、４側面の中、一方の連続する２側面は開放され、他方の連続する２側面は各マチ部２，５によって閉塞され、前記開放側面から用紙を挿脱するものである。
【００１２】
図２、図３及び図４に示すように、各マチ部２，５には、それらの幅方向中央に折り筋７，８が形成され、これら折り筋７，８において内側に折り込まれている。また、前記マチ部２の前記マチ部５側の端部には三角形状の切り欠き９を設けている。この三角形状の切り欠き９によって、前記マチ部５の内側への折り込みが円滑になされる。
【００１３】
本実施形態は以上のように構成したので、用紙ホルダー１が保持する用紙と同一サイズのＡ４判サイズであっても、マチ部２，５が存在することによって、用紙が多数枚の場合であっても、各用紙が外部にはみ出すことなく、各用紙全体を保護して確実に保持することができる。そして、マチ部２，５の幅によって、保持する用紙の最大枚数が決定する。
【００１４】
また、表片３と裏片４は、保持する用紙の規格サイズと同一サイズであるから、保持する用紙の規格サイズを収容サイズとしている如何なるタイプの鞄、キャビネット、棚などの収容道具にも、折り曲げたりすることなく、正規状態で収容することができる。
【００１５】
なお、本考案は前記実施形態に何ら限定されるものではなく、例えば、保持すべき用紙の規格サイズはＡ４判に限らず、Ｂ５判やＢ４判でもよく、この保持する用紙の規格サイズに応じて、表片３と裏片４のサイズが決定されるものである。
【符号の説明】
【００１６】
１      用紙ホルダー
２，５      マチ部
３      表片
４      裏片
６      接着部
７，８      折り筋
９      切り欠き
【図１】
0003164980.tif 000003
【図２】
0003164980.tif 000004
【図３】
0003164980.tif 000005
【図４】
0003164980.tif 000006
【図５】
0003164980.tif 000007
(57)【要約】      （修正有） 【課題】折り畳み式の軟質断熱カバーで覆われた空間に遠赤外線等を発生させる装置と椅子を置き、その中に人が座り頭部を外に出すサウナセットにおいて、断熱カバーに蓄熱性を持たせ、かつカバーから人体への二次熱線放射を利用できるサウナセットを提供する。【解決手段】軟質断熱カバー２で覆われた空間に遠赤外線等を発生させる装置及び椅子を配置し、人が頭部を断熱カバーの外に出して椅子に座り、体部に温熱やマイナスイオンを浴びる折り畳み式サウナセット１において、該断熱カバーの内側に、熱を吸収して熱線を放射する石材の小片７を多数配置することにより、該石材片からの二次熱線放射を利用するようにしてサウナセットを構成する。【選択図】図２
0003164906.tif 000002
【実用新案登録請求の範囲】
【請求項１】
軟質断熱カバー(２)で覆われた空間に遠赤外線等を発生させる装置及び椅子を配置し、人が頭部を断熱カバーの外に出して椅子に座り、体部に温熱やマイナスイオンを浴びる折り畳み式サウナセット(１)において、該断熱カバーの内側に、熱を吸収して熱線を放射する石材の小片(７)を多数配置することにより、該石材片からの二次熱線放射を利用するサウナセット。
【請求項２】
前記サウナセット(１)上面の、人が頭部を外に出す開口部（３）の直径を通常の２倍程度に大きくし、別に人の頚部に適合する各種開口径を有し前記開口部に取替え可能に取付ける襟部材(４)を用意し、該襟部材をボタン又はファスナー(５)により前記開口部に取り付けて使用する請求項１記載のサウナセット。
【請求項３】
前記サウナセット(１)の左右の稜線上の適宜の位置に左右の把っ手(６、６)を取付ける請求項１又は２記載のサウナセット。
【考案の詳細な説明】
【技術分野】
【０００１】
本考案はサウナセットに係り、特に軟質断熱カバーを用いた室内用折り畳み式の、周知のサウナセットに加えるべき幾つかの新規な改善に関する。
【背景技術】
【０００２】
特許文献１の図１には、軟質断熱カバーで覆われた空間に遠赤外線等を発生させる装置と椅子を置き、人が椅子に座って頭部を断熱カバーの外に出し、体部に温熱やマイナスイオンを浴びる折り畳み式家庭用サウナが示されている。また特許文献２の図１にも類似の家庭用サウナ用具が示されており、この種のサウナセットは当業者に周知である。
【０００３】
【特許文献１】実用新案登録第３１０７７４１号公報
【特許文献２】特許第２５２４０９０号公報
【考案の概要】
【考案が解決しようとする課題】
【０００４】
第１に、従来のサウナセットでは、断熱カバーに蓄熱性が付与されていないため、カバーから人体への二次熱線放射を利用できなかったこと。
【０００５】
第２に、従来は、人が頭部を外へ出すための開口部における断熱カバーと人体頚部の適合性が良好でなく、頚部への当たりが不快であったり、隙間ができて熱が逃げ、また襟部が汚れ易い等の欠点があったこと。
【０００６】
第３に、従来は、サウナセットを組み立てた状態で表面に把っ手がないため、移動が不便であったこと。
【課題を解決するための手段】
【０００７】
上記第１の課題は、断熱カバーの内側に、熱を吸収し熱線を放射する石材の小片を多数配置することで解決される。
【０００８】
上記第２の課題は、カバー上面の上記開口部をやや大きめに開口させておき、該開口部へ、別に用意する各種開口径を有する襟部材をファスナー等で取替え可能に取り付けることで解決される。
【０００９】
上記第３の課題は、本サウナセットの稜線になる断熱カバーの左右のの縫い目の適宜の位置に、左右の把っ手を取り付けることで解決される。
【考案の効果】
【００１０】
上記第１の課題解決手段により、本サウナセットに岩盤浴効果が与えられ、体の芯から暖まることができる。
【００１１】
上記第２の課題解決手段により、頚部への当たりが快適になり、襟部を取り外して洗濯することが可能になり、また頚部周辺からの熱漏れを防止することができる。
【００１２】
上記第３の課題解決手段により、本サウナセットを組み立てた状態での移動が容易になる。
【図面の簡単な説明】
【００１３】
【図１】本サウナセット１を組み立てた状態で斜め右上方から全体を見た斜視図である。上記第２及び第３の課題解決手段を含む。
【図２】本考案における上記第１及び第３の課題解決手段を示す部分切除模式図である。
【図３】本考案における上記第２の課題解決手段の実施状況（取付方法）を示す模式図である。
【考案を実施するための形態】
【００１４】
（第１実施例）
図２に、本考案における上記第１課題解決手段の実施状況を示す。例えば岩盤浴に適するとされるブラックシリカ系の石材片７を直径３０〜４０ｍｍ、厚さ５ｍｍ程度の円板状にし、概ね１００平方ｃｍ当たり４個程度の割合で、断熱カバー２の内側全面に取り付ける。
【００１５】
（第２実施例）
図３に、本考案における上記第２課題解決手段の実施状況を示す。本サウナセット１上面の人が頭部を外へ出す開口部３の直径を通常の２倍程度とし、別に、人の頚部に適合する各種開口径を有し、ファスナー又はボタン５を用いて前記開口部へ取替え可能に取り付ける襟部材４を用意して使用に供する。
【００１６】
（第３実施例）
図１又は図２に、本考案における上記第３課題解決手段の実施状況を示す。本サウナセット１の左右の角の稜線上に左右の把っ手６を取り付ける。
【符号の説明】
【００１７】
１  サウナセット
２  断熱カバー
３  サウナセット上面の開口部
４  襟部材
５  襟部材取り付け用ボタン又はファスナー
６  把っ手
７  石材片
【図１】
0003164906.tif 000003
【図２】
0003164906.tif 000004
【図３】
0003164906.tif 000005
(57)【要約】      （修正有）【課題】お風呂場の鏡をくもりにくくするシャンプー式くもり止め器を提供する。【解決手段】持ち板の端に極細繊維で作ったハケ布部を取り付け、シャンプー等をのせる軟らかい羽根を前記ハケ布部に取り付け、持ち板の中央部分に滑り止めを付ける。【選択図】図１
0003163959.tif 000002
【実用新案登録請求の範囲】
【請求項１】
持ち板の端に極細繊維で作った布を取り付け，シャンプー等をのせる軟らかい羽根を取り付け，持ち板の中央部分に滑り止めを付けたことを特徴とするシャンプー式くもり止め器である。
【考案の詳細な説明】
【技術分野】
【０００１】  本考案は、お風呂場において鏡のくもりを取り除くシャンプー式くもり止め器に関するものである。
【背景技術】
【０００２】  従来、お風呂場の鏡のくもり止めは、高価な鏡やスプレー式やワックス式の使い捨ての物しかありません。
【考案の開示】
【考案が解決しようとする課題】
【０００３】  そのために次のような問題点があった。
（イ）スプレー式やワックス式は使い捨てである。
（ロ）お風呂場のくもらない専用の鏡は高価である。
本考案は、以上の問題点を解決するためになされたものである。
【課題を解決するための手段】
【０００４】  持ち板の長手一辺に極細繊維で作った布を数ミリ〜１ｃｍ程度幅で取り付け、ハケ布部を設ける。
ハケ布部の中央に頭頂辺から数ミリの位置にシャンプー等をのせる軟らかい羽根（長さ２〜３ｃｍ程度、幅１ｃｍ程度の大きさ）を設ける。
持ち板の中央部分に適度の面積で滑り止めを設ける。
以上を特徴とするシャンプー式くもり止め器である。
【考案の効果】
【０００５】  高価な鏡を購入する事もなく、使い捨てのスプレー式やワックス式等を買う必要もなく、シャンプー等を使うことによって何度も繰り返し使える。
【考案を実施するための最良の形態】
【０００６】  以下、本考案の実施の形態を説明する。
（イ）持ち板（１）の端に極細繊維で作ったハケ布部（２）を取り付ける。
（ロ）シャンプー等をのせる軟らかい羽根（３）を取り付ける。
（ハ）持ち板（１）の中央部分に滑り止め（４）を取り付ける。
本案は以上のような構造でこれを使用するときは、羽根（３）の部分にシャンプー等をのせてくもった鏡の表面を拭く。
そうするとお風呂の湯気がたち昇っていても、鏡はくもることがない。
【図面の簡単な説明】
【０００７】
【図１】  本考案の斜視図
【符号の説明】
【０００８】  １  持ち板
２  ハケ布部
３  羽根
４  滑り止め
【図１】
0003163959.tif 000003
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
持ち板の端に極細繊維で作った布を取り付け，シャンプー等をのせる軟らかい羽根をハケ布部に取り付け，持ち板の中央部分に滑り止めを付けたことを特徴とするシャンプー式くもり止め器。
【手続補正書】
【提出日】平成22年8月19日(2010.8.19)
【手続補正１】
【補正対象書類名】実用新案登録請求の範囲
【補正対象項目名】全文
【補正方法】変更
【補正の内容】
【実用新案登録請求の範囲】
【請求項１】
持ち板の端に極細繊維で作ったハケ布部を取り付け，シャンプー等をのせる軟らかい羽根を前記ハケ布部に取り付け，持ち板の中央部分に滑り止めを付けたことを特徴とするシャンプー式くもり止め器。
(57)【要約】      （修正有）【課題】指の不自由な方や老人が携帯電話等のボタンを押しやすいように、先端にゴム等の滑り止め素材を施した、スティック状の補助具を提供する。【解決手段】該補助具である携帯電話ボタン入力用スティックは、その先端部１が目標のボタンにうまく当るように、スティック本体２の外径を先端部に向け漸減させて細くなる様に形成し、その最先端部にゴム等の滑り止め素材を施す。また、スティック本体２に携帯用ストラップ３を取りつけることで、携帯電話器等に取り付けておけるようにする。また該先端部１にＬＥＤ等による照明を付設することで、暗闇でも使用可能な補助具としても良い。【選択図】図１
0003163952.tif 000002
【実用新案登録請求の範囲】
【請求項１】
老人や指の不自由な方が、携帯電話等のボタンを押す作業を容易且つ効率的に補助することで、作業効率を改善させることを目的とした、携帯電話用ストラップが附帯されたスティック型補助具。
【請求項２】
本体にＬＥＤなど照明装置を設けた、請求項１記載の補助具。
【請求項３】
本体がスティック状以外の形状、デザインを施した請求項１記載の補助具。
【請求項４】
老人や指の不自由な方以外の、不特定多数の者が利用することを前提とした、請求項１記載の補助具。
【考案の詳細な説明】
【技術分野】
【０００１】  この発明は、老人や指の不自由な方が携帯電話等のボタンを押す時に用いる為の補助具である。
【背景技術】
【０００２】  従来、老人や指の不自由な方も健常者同様、自分自身の指を用いて携帯電話等のボタンを押すしか方法がなかった。
【考案の概要】
【考案が解決しようとする課題】
【０００３】  以上に述べた、従来の作業動作では指先で思いのままに携帯電話等のボタンを押すことができず時間がかかる上、多くのストレスを抱える要因になっていた。【０００４】  また、老人向けの携帯電話が市販されているが、デザインや機種も少なく、購入できるものが限定されていた。
【課題を解決するための手段】
【０００５】  そこで本発明は、携帯ボタン等の小さな目標に上手く当るように、スティック先端にゴム等の滑り止め素材を施した、ストラップ付き補助具を用いることで作業動作を大きく改善することができる。
又、ボタンを押す部分（スティック先端）に多種多様のデザインを施すことで、単なる補助具としてではなく、お洒落アイテムとして持ち歩くことも可能である。
さらに、スティック本体にストラップを附帯させることで、携帯電話等に取り付けられ利便性もさらに向上する。
【考案の効果】
【０００６】  上述したように本発明は、不自由な方の指の代わりとして、スティック状の補助具を用いることで、目標物の小さいボタン等を誤らず且つ容易に押せるという効果がある。【０００７】  また、スティックの先端にＬＥＤ等の照明を附帯させることで、暗闇や目の不自由な方でも難なく携帯電話等のボタンを押すことが出来る。
【図面の簡単な説明】
【０００８】
【図１】本発明の通常時における実施形態
【図２】本発明の利用時における実施形態
【図３】本発明の利用時における実施形態
【考案を実施するための形態】
【０００９】  以下、本発明の実施の形態を図１〜図３に基づいて説明する。
【００１０】  図１においては、１はゴム等滑り止め素材を施したスティック先端部である。２はスティック本体であり、この部分を指でグリップして使用する。３は携帯用ストラップである。
【符号の説明】
【００１１】  １  スティック先端部
２  スティック本体（グリップ部分）
３  携帯用ストラップ
【図１】
0003163952.tif 000003
【図２】
0003163952.tif 000004
【図３】
0003163952.tif 000005
【手続補正書】
【提出日】平成22年4月22日(2010.4.22)
【手続補正１】
【補正対象書類名】実用新案登録請求の範囲
【補正対象項目名】請求項１
【補正方法】変更
【補正の内容】
【請求項１】
老人や指の不自由な方が、携帯電話等のボタンを押す作業を容易且つ効率的に補助し、作業効率を改善させることを目的とした、先端に滑りにくいゴム等の素材が施された鉛筆型の補助具
【手続補正２】
【補正対象書類名】実用新案登録請求の範囲
【補正対象項目名】請求項２
【補正方法】変更
【補正の内容】
【請求項２】
先端部（図１の２）にＬＥＤなどの照明装置を設けた、請求項１記載の補助具。
【手続補正３】
【補正対象書類名】実用新案登録請求の範囲
【補正対象項目名】請求項３
【補正方法】変更
【補正の内容】
【請求項３】
先端部（図１の２）に指の形状等のデザインを施した、請求項１記載の補助具。
【手続補正書】
【提出日】平成22年8月17日(2010.8.17)
【手続補正１】
【補正対象書類名】実用新案登録請求の範囲
【補正対象項目名】請求項２
【補正方法】変更
【補正の内容】
【請求項２】
目的対象物と接する先端の部分に、ＬＥＤなどの照明装置を設けた、請求項１記載の補助具。
【手続補正２】
【補正対象書類名】実用新案登録請求の範囲
【補正対象項目名】請求項３
【補正方法】変更
【補正の内容】
【請求項３】
目的対象物と接する先端の部分に、指の形状等のデザインを施した、請求項１記載の補助具。
(57)【要約】      （修正有）【課題】上着の袖付けが簡単に美しく付けられるタレ綿を提供する。【解決手段】タレ綿の縫い代側にテープ１３を縫い付けることにより伸びを防ぎ美しい袖を簡単に付けることが出来る。テープ付きのタレ綿を使うことによって熟練者でなくても簡単にいせ込みを逃がさずまたカーブも伸ばされず美しい袖を付けることが出来る。【選択図】図１
0003163960.tif 000002
【実用新案登録請求の範囲】
【請求項１】
上着の袖付けが簡単に美しく付けられるテープ付きタレ綿の構造
【考案の詳細な説明】
【０００１】この考案は、簡単に美しい袖を付けるためのタレ綿
【背景技術】
【０００２】美しい袖を付けるにはいせ込みによって出来た丸みを逃がすことなくタレ綿をカーブに沿って正確に付けていくこと【０００３】従来のタレ綿では袖付け部分に縫い付ける際、いせ込みとカーブによって伸ばされることが多く技術的に難しくバラツキのある袖付けになっていた
【考案の結果】
【０００４】テープ付きのタレ綿を使うことによって熟練者でなくても簡単にいせ込みを逃がさずまたカーブも伸ばされず美しい袖を付けることが出来る
【図面の簡単な説明】
【０００５】
【図１】テープ付きのタレ綿
【図２】従来のタレ綿
【符号の説明】
【０００６】１０  フエルト
１１  芯地
１２  増芯
１３  テープ
【図１】
0003163960.tif 000003
【図２】
0003163960.tif 000004
【手続補正書】
【提出日】平成22年7月15日(2010.7.15)
【手続補正１】
【補正対象書類名】実用新案登録請求の範囲
【補正対象項目名】全文
【補正方法】変更
【補正の内容】
【実用新案登録請求の範囲】
【請求項１】
タレ綿の縫い代側にテープが縫い付けられていることを特徴とするテープ付きタレ綿
(57)【要約】      （修正有）【課題】樹脂製の総入れ歯は厚くて重いため、ズレ、ガタツキ、外れ、落下を生じやすい。そこで、歯肉との密着性を高め、ズレ、ガタツキ、外れ、落下を防止することができ、効果が持続し、重く大きくなることもない総入れ歯を提供する。【解決手段】義歯床１に人工歯を並べて形成した総入れ歯において、義歯床１の表側から複数のメネジ穴を形成し、メネジ穴３にイモネジ５をねじ込み、イモネジ５の先端６をメネジ穴の底４に圧接させたことを特徴とする。【選択図】図３
0003163943.tif 000002
【実用新案登録請求の範囲】
【請求項１】
義歯床１に人工歯２を並べて形成した総入れ歯において、
義歯床１の表側から複数のメネジ穴３を形成し、メネジ穴３にイモネジ５をねじ込み、イモネジ５の先端６をメネジ穴３の底４に圧接させたことを特徴とする総入れ歯。
【考案の詳細な説明】
【技術分野】
【０００１】
この考案は、全ての歯が失われた場合に用いる総入れ歯に関するものである。
【背景技術】
【０００２】
総入れ歯は義歯床に人工歯を並べて形成され、歯茎に被して使用し、保険適用の総入れ歯の材質はプラスチックである。この樹脂製の総入れ歯は厚くて重いため、ズレ、ガタツキ、外れ、落下を生じやすく、総入れ歯を安定させる様々な工夫がなされている。
【０００３】
総入れ歯の安定手段として、ペーストタイプやクリームタイプの入れ歯安定剤がある。入れ歯安定剤は、総入れ歯の裏側（歯肉側）に塗布して歯肉との密着性を高めるものであるが、効果が持続しない、臭いがある、口腔内に残った安定剤を取り除きにくい等の欠点がある。また、特許文献１には総入れ歯安定装置が提案されているが、これは総入れ歯に帯状の凸面を形成するものであり、総入れ歯がさらに重く大きくなる。
【先行技術文献】
【特許文献】
【０００４】
【特許文献１】特開２００９−２３３３０２号公報
【考案の概要】
【考案が解決しようとする課題】
【０００５】
この考案は、歯肉との密着性を高め、ズレ、ガタツキ、外れ、落下を防止することができ、効果が持続し、重く大きくなることもない総入れ歯を提案することを目的とするものである。
【課題を解決するための手段】
【０００６】
上記の目的を達成するため、この考案は、義歯床１に人工歯２を並べて形成した総入れ歯において、義歯床１の表側から複数のメネジ穴３を形成し、メネジ穴３にイモネジ５をねじ込み、イモネジ５の先端６をメネジ穴３の底４に圧接させたことを特徴とするものである。
【考案の効果】
【０００７】
この考案の総入れ歯は、義歯床１の表側から形成した複数のメネジ穴３にイモネジ５をねじ込み、イモネジ５の先端６をメネジ穴３の底４に圧接させたので、義歯床１に歯肉側に圧力が加わり、歯肉との密着性を高め、ズレ、ガタツキ、外れ、落下を防止することができる。
【０００８】
また、イモネジ５は、六角レンチで簡単に脱着することができ、義歯床１に埋設されて出っ張ることがなく、使用感も良い。さらに、密着効果が持続し、総入れ歯が重く大きくなることもなく、上顎、下顎どちらの総入れ歯にも適用するものである。密着性に優れているので、上顎用の総入れ歯の歯肉との接触面積を小さくすることもでき、義歯床１の面積を小さくして軽量に形成可能である。
【図面の簡単な説明】
【０００９】
【図１】この考案の実施例の正面図。
【図２】イモネジの脱着の示す正面図。
【図３】構造を説明するための断面図で、イモネジを外した状態。
【図４】構造を説明するための断面図で、イモネジをねじ込んだ状態
【図５】別の構造を説明するための断面図で、イモネジを外した状態。
【考案を実施するための形態】
【００１０】
以下にこの考案の具体的な実施形態について、図面を用いて説明する。
図面はこの考案の実施例で、図１、２に上顎の総入れ歯の正面図を示す。図示の総入れ歯は、義歯床１に人工歯２を並べて形成した保険適用の樹脂製である。義歯床１の歯茎の部分の左右の位置に、表側から２個のメネジ穴が形成され、これにイモネジ５がねじ込まれている。イモネジ５は一般的な六角穴付き止めねじで、頭の部分に六角の穴が形成され、図２に示すように、専用の六角レンチ７を用いて脱着する。
【００１１】
図３、４にこの考案の総入れ歯の構造を示す。義歯床１のメネジ穴の位置は任意であるが、図示の総入れ歯は、歯茎の部分に形成したメネジ穴３ａと、口腔内の部分に形成したメネジ穴３ｂとを示している。このメネジ穴３ａに六角レンチ７を用いてイモネジ５をねじ込み、イモネジ５の先端６をメネジ穴３の底４に圧接させ（図４参照）、義歯床１に歯肉側に圧力が加わり、歯肉８との密着性が高められる。なお、イモネジ５は、繰り返し使用に適するように、先端が平な平先タイプである。
【００１２】
図５は、内周面にメネジを形成した筒状のメネジ体９を義歯床１に埋設し、メネジ穴３を形成したものである。金属製のメネジ体９を用いることで、イモネジ５の繰り返しの脱着に耐えるようにし、耐久性の向上を図ったものである。
【符号の説明】
【００１３】
１  義歯床
２  人工歯
３  メネジ穴
４  底
５  イモネジ
６  先端
【図１】
0003163943.tif 000003
【図２】
0003163943.tif 000004
【図３】
0003163943.tif 000005
【図４】
0003163943.tif 000006
【図５】
0003163943.tif 000007